(57)【要約】【課題】本発明は、畳の部屋での食事等で高齢者は座椅子に座る事が多いが、低い座椅子では立ち上がるのが困難であり、又高い座椅子では座卓面が低い為食事がうまく出来ない等のきらいがある。この発明では合成樹脂にて上下に伸縮する蛇腹状に成形した空気袋１の下部２をコンプレッサー３と共に座椅子６に取り付け、空気袋１にコンプレッサー３で空気を吹き込み、空気袋の上部の座面４に座った人を持ち上げ、座った人がコンプレッサーのスイッチ１０及び排気弁５を操作することで立ち上がることが出来る。又畳敷の大広間では。座椅子６の下部９にバッテリー７を取り付け、コンプレッサー３を駆動させる。【解決の手段】座椅子６の下部９に蛇腹状の空気袋１を取り付け、コンプレッサー３にて空気を吹き込み、空気袋１の上部の座面４に座った人を持ち上げ、排気弁５にて空気袋１の空気を抜くと、空気袋１が蛇腹状であるため体が下がり座卓での食事が容易になる。【選択図】図３
2014057821.tif 000002
【特許請求の範囲】
【請求項１】
合成樹脂にて上下に伸縮する蛇腹状に成形した空気袋の下面を座椅子に固定し、座椅子に取り付けたコンプレッサーにて空気袋に空気を吹き込み空気袋を膨らませ、空気袋の上面が伸び上がり、上部の座面に座った人が空気袋の排気弁とコンプレッサーを操作する事で空気袋が伸縮し、座面が上下する事で座椅子からの立ち上がりを補助する事を特徴とする、座面が空気袋により上下する座椅子。
【請求項２】
合成樹脂にて上下に伸縮する蛇腹状に成形した空気袋の下面に、コンプレッサーを取り付け、空気袋の上部の座面に座った人がコンプレッサー及び排気弁を操作する事で、座椅子又は畳からの立ち上がりを補助する事を特徴とする、座面が空気袋により上下する座椅子。
【請求項３】
合成樹脂にて上下に伸縮する蛇腹状に成形した空気袋の下面を座椅子に固定し、座椅子に取り付けたバッテリーにてコンプレッサーを作動させ、空気袋の上部の座面にてコンプレッサー及び排気弁を操作し、座椅子又は畳からの立ち上がりを補助する、座面が空気袋により上下する座椅子。
【発明の詳細な説明】
【技術分野】
【０００１】本発明は、低い座椅子に座った時そこから立ち上がるのを補助する座椅子に関する。
【背景技術】
【０００２】従来の日本家屋では畳での生活が多いが、畳では座卓での食事が普通であるが、低い座椅子にての食事では高齢者は何かに捕まらないと立ち上がるのが困難であった。
【発明の開示】
【発明が解決しようとする課題】
【０００３】高齢者は畳に座布団で座るのは苦痛で有る為低い座椅子を使うが、食事の後座椅子又は座卓に捕まるか、座椅子の手すりを握り立ち上がるが、障害者及び高齢者では立ち上がるのが困難であった。
【課題を解決するための手段】
【０００４】１、合成樹脂にて上下に伸縮する蛇腹状に成形した空気袋の下部に、コンプレッサーを取り付け空気袋に空気を吹き込み、空気袋の上部に座面を設け、空気袋の上部に空気の排出弁を取り付け、コンプレッサーにて空気袋を膨らませ座面に座った人を持ち上げ、空気の排気弁から空気を排出する事で空気袋が縮まり、座面に座った人を下げる。
２、上記の空気袋の下面を座椅子の最下部に取り付け、座椅子に座った人がコンプレッサーと空気の排気弁を操作する事で、空気袋の上部の座面に座った人が自在に上下する事が出来るようにした座椅子の構造である。
【発明の効果】
【０００５】上記の１のような発明を畳に置いて使用するも良いが、座椅子に取り付け使用する方が最良の使い方であり、立ち上がる時座椅子を回転させコンプレッサーにて空気を吹き入れ、空気袋を膨らませると体が競り上がり立ち上がる事が出来る。
又膨らませた空気袋の上部の座面に座り、排気弁から空気を抜き体を下げると座卓の位置に座る事が出来る。
【発明を実施するための最良の形態】
【０００６】日本間の座卓での食事では高齢者及び障害者は立ち上がるのが困難であった。
この発明では上下に伸縮する蛇腹状の空気袋の上部の座面に座り、空気袋の下部に取り付けたコンプレッサーにて空気袋を膨らませ、座った人が立ち上がるのを補助するものであり、又膨らませた空気袋の座面に座り、排気弁を操作することで体をさげる。
この発明を座椅子の下部に取り付け、座卓での食事の時は排気弁から空気を抜き空気袋を下げ空気袋の座面に座った人が下がるため座卓での食事をする事が出来る。
家庭又は旅館の和室ではコンプレッサーをコンセントに差し込めば良いが、畳の大広間ででは座椅子にバッテリーを取り付け、コンプレッサーを駆動させる。
【実施例】
【０００７】合成樹脂にて上下に伸縮する蛇腹状に成形した空気袋１の下部２にコンプレッサー３を取り付け、空気袋１にコンプレッサー３から空気を吹き込み空気袋１を膨らませ、空気袋１の上部の座面４に座った人の立ち上がりを補助する。
上部の座面４に座った人がコンプレッサー３のスイッチ１０又は空気袋１の上部に取り付けた排気弁５を操作する事で、空気袋１が伸縮し座卓にて食事等をする事が出来るが、この発明のコンプレッサー３を取り付けた空気袋１を座椅子６に取り付ける事で座椅子６の機能が格段に向上する。
又座椅子６の下に回転台８を取り付け、立ち上がる時は座椅子６を回転させ立ち上がり、座る時は空気袋１の上部の座面４に座り座椅子６を回転させ、排気弁５にて空気を抜き座卓前に座る。家庭及び旅館の個室の畳の部屋ではコンプレッサー３の電源はコンセントからとれるが、畳敷の大広間では座椅子の下部９にバッテリー７を取付けコンプレッサー３を駆動させて使用する。
【図面の簡単な説明】
【０００８】
【図１】  空気袋をコンプレッサーで膨らませた斜視図
【図２】  空気袋の空気を抜き縮めて低くした斜視図
【図３】  空気袋とコンプレッサーとバッテリーを座椅子に取り付けた斜視図
【符号の説明】１        空気袋
２        空気袋の下部
３        コンプレッサー
４        座面
５        排気弁
６        座椅子
７        バッテリー
８        回転台
９        座椅子の下部
１０      スイッチ
【図１】
2014057821.tif 000003
【図２】
2014057821.tif 000004
【図３】
2014057821.tif 000005
【手続補正書】
【提出日】平成24年9月26日(2012.9.26)
【手続補正１】
【補正対象書類名】明細書
【補正対象項目名】全文
【補正方法】変更
【補正の内容】
【発明の詳細な説明】
【技術分野】
【０００１】本発明は、低い座椅子に座った時そこから立ち上がるのを補助する座椅子に関する。
【背景技術】
【０００２】従来の日本家屋では畳での生活が多いが、畳では座卓での食事が普通であるが、低い座椅子にての食事では高齢者は何かに捕まらないと立ち上がるのが困難であった。
【特許の開示】
【特許が解決しようとする課題】
【０００３】高齢者は畳に座布団で座るのは苦痛で有る為低い座椅子を使うが、食事の後座椅子又は座卓に捕まるか、座椅子の手すりを握り立ち上がるが、障害者及び高齢者では立ち上がるのが困難であった。
【課題を解決するたるの手段】
【０００４】１、合成ゴムにて上下に伸縮する蛇腹状に成形した空気袋の下部に、コンプレッサーを取り付け空気袋に空気を吹き込み、空気袋の上部に座面を設け、空気袋の上部に空気の排出弁を取り付け、コンプレッサーにて空気袋を膨らませ座面に座った人を持ち上げ、空気の排気弁から空気を排出する事で空気袋が縮まり、座面に座った人を下げる。。
２、上記の空気袋の下面を座椅子の最下部に取り付け、座椅子に座った人がコンプレッサーと空気の排気弁を操作する事で、空気袋の上部の座面に座った人が自在に上下する事が出来るようにした座椅子の構造である。
【特許の効果】
【０００５】上記の１のような発明を畳に置いて使用するも良いが、座椅子に取り付け使用する方が最良の使い方であり、立ち上がる時座椅子を回転させコンプレッサーにて空気を吹き入れ、空気袋を膨らませると体が競り上がり立ち上がる事が出来る。
又膨らませた空気袋の上部の座面に座り、排気弁から空気を抜き体を下げると座卓の位置に座る事が出来る。
【特許を実施するための最良の形態】
【０００６】日本間の座卓での食事では高齢者及び障害者は立ち上がるのが困難であった。
この発明では上下に伸縮する蛇腹状の空気袋の上部の座面に座り、空気袋の下部に取り付けたコンプレッサーにて空気袋を膨らませ、座った人が立ち上がるのを補助するものであり、又膨らませた空気袋の座面に座り、排気弁を操作することで体をさげる。
この発明を座椅子に取り付け又は乗せ、座卓での食事の時は排気弁から空気を抜き空気袋を下げ空気袋の座面に座った人が下がるため座卓での食事をする事が出来る。
家庭又は旅館の和室ではコンプレッサーをコンセントに差し込めば良いが、畳の大広間ででは座椅子にバッテリーを取り付け、コンプレッサーを駆動させる。
【実施例】
【０００７】合成ゴムにて上下に伸縮する蛇腹状に成形した空気袋１の下部２にコンプレッサー３を取り付け、空気袋１にコンプレッサー３から空気を吹き込み空気袋１を膨らませ、空気袋１の上部の座面４に座った人の立ち上がりを補助する。
上部の座面４に座った人がコンプレッサー３のスイッチ１０又は空気袋１の上部に取り付けた排気弁５を操作する事で、空気袋１が伸縮し座卓にて食事等をする事が出来るが、コンプレッサー３を取り付けた空気袋１を座椅子６に取り付ける事で座椅子６の機能が格段に向上する。
又座椅子６の下に回転台８を取り付け、立ち上がる時は座椅子６を回転させ立ち上がり、座る時は空気袋１の上部の座面４に座り座椅子６を回転させ、排気弁５にて空気を抜き座卓前に座る。家庭及び旅館の個室の畳の部屋ではコンプレッサー３の電源はコンセントからとれるが、畳敷の大広間では座椅子の下部９にバッテリー７を取付けコンプレッサー３を駆動させて使用する。
【図面の簡単な説明】
【０００８】
【図１】空気袋をコンプレッサーで膨らませた斜視図
【図２】空気袋の空気を抜き縮めて低くした斜視図
【図３】空気袋とコンプレッサーとバッテリーを座椅子に取り付けた斜視図
【符合の説明】
【０００９】１        空気袋
２        空気袋の下部
３        コンプレッサー
４        座面
５        排気弁
６        座椅子
７        バッテリー
８        回転台
９        座椅子の下部
１０      スイッチ
【手続補正２】
【補正対象書類名】特許請求の範囲
【補正対象項目名】全文
【補正方法】変更
【補正の内容】
【特許請求の範囲】
【請求項１】
合成ゴムにて上下に伸縮する蛇腹状に成形した空気袋の下面を座椅子に取り付け、座椅子に取り付けたコンプレッサーにて空気袋に空気を吹き込み空気袋を膨らませ、空気袋の上面が伸び上がり、上部の座面に座った人が空気袋の排気弁とコンプレッサーを操作する事で空気袋が伸縮し、座面が上下する事で座椅子からの立ち上がりを補助する事を特徴とする、座面が空気袋により上下する座椅子。
【請求項２】
合成ゴムにて上下に伸縮する蛇腹状に成形した空気袋の下面に、コンプレッサーを取り付け座椅子の上に乗せ、空気袋の上部の座面に座った人がコンプレッサー及び排気弁を操作する事で、座椅子又は畳からの立ち上がりを補助する事を特徴とする、座面が空気袋により上下する座椅子。
【請求項３】
合成ゴムにて上下に伸縮する蛇腹状に成形した空気袋の下面を座椅子に取り付け、座椅子に取り付けたバッテリーにてコンプレッサーを作動させ、空気袋の上部の座面にてコンプレッサー及び排気弁を操作し、座椅子又は畳からの立ち上がりを補助する、座面が空気袋により上下する座椅子。
【手続補正書】
【提出日】平成25年8月6日(2013.8.6)
【手続補正１】
【補正対象書類名】明細書
【補正対象項目名】０００２
【補正方法】変更
【補正の内容】
【０００２】自助具として昇降座椅子が販売されているが、モーター等にて椅子をそっくり持ち上げる物が多いが、座布団から座った状態から体だけ持ち上がればよく椅子ごと持ち上げる必要はない。従来の日本家屋では畳での生活が多いが、畳では座卓での食事が普通ですが、低い座椅子では高齢者及び障害者では、何かに捕まらないと立ち上がるのが困難であった。
しかし座った状態から体だけ持ち上がればよく、椅子ごと持ち上げる必要はない。
従来の日本家屋では畳での生活が多いが、畳では座卓での食事が普通であるが、低い座椅子にての食事では高齢者は何かに捕まらないと立ち上がるのが困難であった。
【手続補正２】
【補正対象書類名】図面
【補正対象項目名】全図
【補正方法】変更
【補正の内容】
【図１】
2014057821.tif 000006
【図２】
2014057821.tif 000007
【図３】
2014057821.tif 000008